(57)【要約】【課題】  本発明は、ユーザに煩雑な操作を強いることなく簡易かつ容易に取得して電子番組情報をリアルタイムに提供できるようにする。【解決手段】  本発明は、アンテナ２によって放送局からの放送波を受信し、チューナ部３によって放送波のうち指定されたチャンネルの放送信号を選局した当該チャンネルに関するＥＰＧ情報を取得し、電源投入直後にチューナ部３を介して全チャンネルを順次選局させることにより、電源投入直後における全チャンネルの最新ＥＰＧ情報を取得することにより、ユーザに対しては通常の電源投入操作をさせるだけで電源投入直後における全チャンネルの最新ＥＰＧ情報を自動的に取得してリアルタイムに最新ＥＰＧ情報を提供することができる。【選択図】        図１
2005033567.tif 000002
【特許請求の範囲】
【請求項１】
受信した放送波のうち指定されたチャンネルの放送信号を選局する選局手段と、
上記選局手段によって選局中のチャンネルに関する電子番組情報を取得する電子番組情報取得手段と、
電源が投入された後、上記選局手段を介して全チャンネルを順次選局することにより、上記電子番組情報取得手段を介して電源投入直後における上記全チャンネルの最新の電子番組情報を取得させる制御手段と
を具えることを特徴とする電子番組情報自動取得装置。
【請求項２】
上記制御手段は、予め設定された日数又はチャンネル数に応じて上記最新の電子番組情報を取得する範囲を変更する
ことを特徴とする請求項１に記載の電子番組情報自動取得装置。
【請求項３】
上記制御手段は、予め設定された条件に従って上記電源投入直後における上記全チャンネルの最新の電子番組情報を取得するか否かを選択する
ことを特徴とする請求項１に記載の電子番組情報自動取得装置。
【請求項４】
受信した放送波のうち指定されたチャンネルの放送信号を選局手段によって選局した当該チャンネルに関する電子番組情報を取得する電子番組情報取得ステップと、
電源投入直後に上記選局手段を介して全チャンネルを順次選局させることにより、上記電源投入直後における上記全チャンネルの最新の電子番組情報を取得する制御ステップと
を具えることを特徴とする電子番組情報自動取得方法。
【請求項５】
受信機に対して、
受信した放送波のうち指定されたチャンネルの放送信号を選局手段によって選局した当該チャンネルに関する電子番組情報を取得する電子番組情報取得ステップと、
電源投入直後に上記選局手段を介して全チャンネルを順次選局させることにより、上記電源投入直後における上記全チャンネルの最新の電子番組情報を取得する制御ステップと
を実行させることを特徴とする電子番組情報自動取得プログラム。
【発明の詳細な説明】
【技術分野】
【０００１】
本発明は電子番組情報自動取得装置に関し、例えば地上波ディジタル放送のＥＰＧ（Electronic
Program Guide）情報を取得する地上波ディジタル受信機に適用して好適なものである。
【背景技術】
【０００２】
従来、ＢＳ(Broadcasting Satelite)ディジタル放送やＣＳ(Communication Satelite)ディジタル放送を受信するディジタル放送受信機においては、特定のチャンネルを選局中であっても、そのチャンネルを介して他のチャンネルを含む全チャンネルに関する番組情報の掲載されたＥＰＧ情報と呼ばれる電子番組情報を取得することができるようになされており、これをモニタに表示することにより放送予定の全チャンネルに関する番組情報をユーザに提供するようになされている（例えば、特許文献１参照）。
【０００３】
一方、近年では地上波ディジタル放送が実用化段階に入っているが、ＢＳディジタル放送やＣＳディジタル放送とは異なる点として、特定のチャンネルを選局中にあっては当該選局中のチャンネルに関するＥＰＧ情報だけしか取得することができないということがある。
【特許文献１】特開2001-186426公報
【発明の開示】
【発明が解決しようとする課題】
【０００４】
ところで地上波ディジタル放送を受信する地上波ディジタル放送受信機においては、ユーザが選局したチャンネルのＥＰＧ情報だけしか取得することが出来ないので、ユーザが他のチャンネルのＥＰＧを参照しようとした場合に当該他のチャンネルをわざわざ選局しなければならないと共に、その度ごとにＥＰＧ情報を取得しなければならなかった。
【０００５】
そのため地上波ディジタル放送受信機においては、ユーザが選局したチャンネル以外の他チャンネルのＥＰＧ情報については必ずしも取得できていないのでユーザが希望したタイミングで直ちに表示することはできず、リアルタイム性に欠けるという問題があった。
【０００６】
本発明は以上の点を考慮してなされたもので、ユーザに煩雑な操作を強いることなく簡易かつ容易に取得して電子番組情報をリアルタイムに提供し得る電子番組情報自動取得装置を提案しようとするものである。
【課題を解決するための手段】
【０００７】
かかる課題を解決するため本発明においては、受信した放送波のうち指定されたチャンネルの放送信号を選局手段によって選局した当該チャンネルに関する電子番組情報を取得し、電源投入直後に選局手段を介して全チャンネルを順次選局させることにより、電源投入直後における全チャンネルの最新の電子番組情報を取得するようにした。
【０００８】
これによりユーザに対しては通常の電源投入操作をさせるだけで電源投入直後における全チャンネルの最新の電子番組情報を自動的に取得してリアルタイムに最新の電子番組情報を提供することができる。
【発明の効果】
【０００９】
上述のように本発明によれば、ユーザに対しては通常の電源投入操作をさせるだけで電源投入直後における全チャンネルの最新の電子番組情報を自動的に取得してリアルタイムに最新の電子番組情報を提供することができ、かくしてユーザに煩雑な操作を強いることなく簡易かつ容易に取得して電子番組情報をリアルタイムに提供し得る電子番組情報自動取得装置、電子番組情報自動取得方法及び電子番組情報自動取得プログラムを実現することができる。
【発明を実施するための最良の形態】
【００１０】
以下、図面について、本発明の一実施の形態を詳述する。
【００１１】
（１）地上波ディジタル放送受信機の回路構成
図１において、１は全体として本発明の地上波ディジタル放送受信機を示し、アンテナ２を介して地上波ディジタル放送局（図示せず）からの放送波を受信し、これを受信信号Ｓ１として電子番組情報取得部１１のチューナ部３へ送出する。
【００１２】
電子番組情報取得部１１のチューナ部３は、受信信号Ｓ１のうち、ユーザのリモートコントローラ（以下、これをリモコンと呼ぶ）９の操作に応じて入力インタフェース８及びＣＰＵ(Central Processing Unit)構成でなる制御部４を介して選局されたチャンネルの番組データＤ２及びＥＰＧ情報を抽出し、これを表示コントローラ６を介して液晶ディスプレイ等でなる表示部７に番組映像やＥＰＧとして表示するようになされている。
【００１３】
ここでチューナ部３は、地上波ディジタル放送以外にもＢＳディジタル放送やＣＳディジタル放送を受信することが可能であって、当該ＢＳディジタル放送やＣＳディジタル放送のチャンネルを選択し得るようにもなされている。
【００１４】
また電子番組情報取得部１１の制御部４は、電源部５から電力供給を受けるようになされており、これにより当該制御部４から各回路に対して電力を分配するようになされている。
【００１５】
さらに電子番組情報取得部１１の制御部４は、地上波ディジタル放送局から受信した各チャンネルの番組映像やＥＰＧ情報をハードディスク等でなる記憶部１０に記憶し、ユーザからの指示に応じて当該番組映像やＥＰＧ情報を読み出して表示部７に表示し得るようにもなされている。
【００１６】
かかる構成の地上波ディジタル放送受信機１においては、電子番組情報取得部１１の記憶部１０に予め格納しておいた基本プログラムに従って地上波ディジタル放送の番組映像を表示部７に表示したり、又は基本プログラム及び各種アプリケーションプログラムに従って後述するＥＰＧ情報の自動取得処理手順を実行するようになされており、その前提としてＥＰＧ情報の自動取得処理を実行するための初期設定について説明する。
【００１７】
（２）初期設定モード
最初に電子番組情報取得部１１の制御部４は、アプリケーションプログラムの一つである電子番組情報自動取得プログラムに従い、図２（Ａ）に示すように初期設定モードが選択されると初期設定画面１５を表示部７に表示する。
【００１８】
この初期設定画面１５は、タイトル表示欄１６に「セットアップ」と記載され、その下部の選択項目表示欄１７に「表示設定」、「予約設定」、「お好み設定」、……、「各種設定・その他」、「機器情報」と記述された各種選択項目が設けられており、そのうちの「各種設定・その他」項目が選択された場合に詳細設定表示欄１８を介して当該「各種設定・その他」項目に対応した詳細情報を表示する。
【００１９】
実際上、地上波ディジタル放送受信機１においては、ＥＰＧ情報の自動取得処理手順を実行するために、詳細設定表示欄１８の「ＡＣ・ＯＮ番組情報取得設定」項目がユーザによって選択されると、図２（Ｂ）に示すように「ＡＣ・ＯＮ番組情報取得設定」項目の近傍にプルダウンメニュー１９を表示する。
【００２０】
ここで「ＡＣ・ＯＮ番組情報取得設定」項目は、地上波ディジタル放送受信機１の電源が投入されたときに、自動的に地上波ディジタル放送の全チャンネルに関するＥＰＧ情報を自動的に取得するための機能を立ち上げるためのものである。
【００２１】
このプルダウンメニュー１９には、地上波ディジタル放送の全チャンネルに関するＥＰＧ情報を自動的に取得するか否か、取得すべき時間（日時）を選択するための「取得しない」、「９時間分取得」、「２日分取得」、「全情報取得」の選択項目が表示され、ユーザはこの中からＥＰＧ情報を取得するか否か、もしくはＥＰＧ情報を取得すべき範囲を指定するようになされている。
【００２２】
このように地上波ディジタル放送受信機１では、初期設定画面１５の「ＡＣ・ＯＮ番組情報取得設定」項目が選択され、例えば「２日分取得」の選択項目が指定されたことによって初期設定を完了する。
【００２３】
なお地上波ディジタル放送受信機１では、初期設定画面１５の「ＡＣ・ＯＮ番組情報取得設定」項目が選択され、例えば「取得しない」の選択項目が指定された場合には全チャンネルのＥＰＧ情報を自動的に取得することはしない。
【００２４】
（３）ＥＰＧ情報の自動取得処理手順
続いて、地上波ディジタル放送受信機１において改めて電源が投入されたときに電子番組情報自動取得プログラムに従って行うＥＰＧ情報の自動取得処理手順を図３のフローチャートを用いて説明する。
【００２５】
図３に示すように地上波ディジタル放送受信機１の制御部４は、ルーチンＲＴ１の開始ステップから入ってステップＳＰ１へ移り、電源部５からの通知によってユーザにより電源が投入されたことを確認すると、次のステップＳＰ２へ移る。
【００２６】
このとき制御部４は、自動的に前回の電源オフ時におけるチャンネルを選局するが直ちに当該チャンネルの番組映像を表示部７に表示することはせず、いわゆる当該番組映像の画面をミュートした状態（以下、これをミュート状態と呼ぶ）すなわち番組映像の画面に代えて予め設定された静止画像を表示するようになされている。
【００２７】
ステップＳＰ２において制御部４は、記憶部１０に電源投入直後における全チャンネルの最新のＥＰＧ情報が既に格納されているか否かを判定し、肯定結果が得られたときには改めて全チャンネルの最新のＥＰＧ情報を取得する必要はないので、ミュート状態を解除して当該チャンネルの番組映像を表示部７に表示し、ステップＳＰ１４へ移って処理を終了する。
【００２８】
このとき制御部４は、例えば現在記憶部１０に格納されている全チャンネルのＥＰＧ情報のバージョン番号と現時点におけるＥＰＧ情報のバージョン番号との比較を行って、当該バージョン番号が一致する場合にはステップＳＰ２で肯定結果を得、既に最新のＥＰＧ情報を取得済みであると判断し、バージョン番号が一致しない場合にはステップＳＰ２で否定結果を得、最新のＥＰＧ情報を取得しておらず取得する必要があると判断するようになされている。
【００２９】
従ってステップＳＰ２で否定結果が得られると、制御部４は未だ電源投入直後における最新のＥＰＧ情報を取得していないと判断し、次のステップＳＰ３へ移る。
【００３０】
ステップＳＰ３において制御部４は、電源投入直後における最新のＥＰＧ情報の取得処理を開始し、次のステップＳＰ４へ移る。
【００３１】
ここで制御部４は、予め初期設定画面１５（図２）で設定した全チャンネルのＥＰＧ情報を２日分取得するという条件に従い、チューナ部３を介して地上波ディジタル放送の全チャンネルについて１チャンネルずつ選局し、当該選局したチャンネル毎に順次ＥＰＧ情報を取得することにより電源投入直後における全チャンネルの最新のＥＰＧ情報を合計２日分取得するようになされている。
【００３２】
ステップＳＰ４において制御部４は、このときチューナ部３を介してユーザによりＢＳディジタル放送やＣＳディジタル放送ではなく地上波ディジタル放送が選択されているか否かを判定する。
【００３３】
ここで肯定結果が得られると、このことはユーザによって地上波ディジタル放送が選択されていることを表しており、このとき制御部４は次のステップＳＰ５へ移る。
【００３４】
ステップＳＰ５において制御部４は、図４に示すようにステップＳＰ３で開始したＥＰＧ情報の取得経過状態を示すＥＰＧ情報取得中画面２０を生成して表示部７に表示すると共に、当該ＥＰＧ情報取得中画面２０中の取得率表示欄２１に対して合計２日分のＥＰＧ情報のうち現時点で何パーセントまで取得済みであるかをリアルタイムに変更しながら数値表示（この時点では「２８％取得済」）し、次のステップＳＰ６へ移る。
【００３５】
このＥＰＧ情報取得中画面２０には、現在「番組表情報を２日分（取得時間４分程度）取得中です」と記述されたメッセージが表示されると共に、ＥＰＧ情報の取得範囲を設定するための「番組表取得設定」ボタン２２と、ＥＰＧ情報の取得処理を中止して通常の地上波ディジタルテレビ放送に戻すための「中止」ボタン２３が表示される。
【００３６】
従って制御部４は、このＥＰＧ情報取得中画面２０を介してＥＰＧ情報を現在取得中であることをユーザに示すと共に、現時点におけるＥＰＧ情報の取得経過状態を数値でリアルタイムに提示し得るようになされている。
【００３７】
因みに、このとき制御部４はＥＰＧ情報取得中画面２０をその背景の静止画像に重ねた状態で表示するようになされている。
【００３８】
ステップＳＰ６において制御部４は、ＥＰＧ情報取得中画面２０の「番組表取得設定」ボタン２２がユーザによって押下操作されたか否かを判定し、否定結果が得られるとステップＳＰ９へ移り、肯定結果が得られると次のステップＳＰ７へ移る。
【００３９】
ステップＳＰ７において制御部４は、「番組表取得設定」ボタン２２が押下操作されたことに応じて、図５に示すようなＥＰＧ情報設定画面３０を表示部７に表示し、次のステップＳＰ８へ移る。
【００４０】
ＥＰＧ情報設定画面３０には、電源投入時におけるＥＰＧ情報の取得方法が設定可能であることを示す「ＡＣ／電源ＯＮ時の番組表情報の取得方法を設定できます」等のメッセージが表示されると共に、初期設定画面１５（図２）と同様に地上波ディジタル放送の全チャンネルに関するＥＰＧ情報を自動的に取得するか否か、取得すべき時間（日時）を選択するための「取得しない」、「９時間分取得」、「２日分取得」、「全情報取得」の選択項目が表示され、ユーザはこの中からＥＰＧ情報を取得するか否か、もしくはＥＰＧ情報を取得すべき時間的範囲を指定するようになされている。
【００４１】
従って制御部４は、ユーザによりＥＰＧ情報設定画面３０を介して「９時間分取得」、「２日分取得」、「全情報取得」の選択項目のいずれかが選択された場合、ＥＰＧ情報の取得条件を変更し、その変更した取得条件に従って以降ＥＰＧ情報を取得することになる。
【００４２】
ステップＳＰ８において制御部４は、例えばＥＰＧ情報設定画面３０における「全情報取得」項目（斜線部分で示す）が選択された場合、最大８日分のＥＰＧ情報を取得する設定に変更し、次のステップＳＰ９へ移る。
【００４３】
ところで、ＥＰＧ情報の取得に要する時間は、当然そのＥＰＧ情報のデータ量に比例するものであり、例えば選局に１．５秒間、チャンネル単位のトランスポートストリーム数を７個と仮定した場合、「９時間分取得」であれば「キャッシュ時間（３１．５秒〜４５．５秒）＝（３秒〜５秒＋選局時間）×全チャンネル分のトランスポートストリーム数」となる。
【００４４】
同様に、ＥＰＧ情報の取得に要する時間は、「２日分取得」であれば「キャッシュ時間（１分２０秒〜３分４０秒）＝（１０秒〜３０秒＋選局時間）×全チャンネル分のトランスポートストリーム数」となり、「全情報取得（最大８日分）」であれば「キャッシュ時間（８分１０秒〜２１分１０秒）＝（６０秒〜１８０秒＋選局時間）×全チャンネル分のトランスポートストリーム数」となる。
【００４５】
従って制御部４は、ＥＰＧ情報設定画面３０における「全情報取得」項目が選択された場合、図４との対応部分に同一符号を付した図６に示すようにＥＰＧ情報取得中画面４０を生成して表示部７に表示すると共に、当該ＥＰＧ情報取得中画面４０中の取得率表示欄２１に対して最大８日分のＥＰＧ情報のうち現時点で何パーセントまで取得済みであるかをリアルタイムに変更しながら数値表示（この時点では「１３％取得済」）する。
【００４６】
ステップＳＰ９において制御部４は、最後のチャンネルにおけるＥＰＧ情報の取得処理が終了すると、全チャンネル分の最新のＥＰＧ情報の取得処理を完了し、次のステップＳＰ１０へ移る。
【００４７】
ステップＳＰ１０において制御部４は、図７に示すようなＥＰＧ情報取得完了画面５０を生成して表示部７に表示し、当該ＥＰＧ情報取得完了画面５０中における「番組情報取得が終了しました。」のメッセージを介して電源投入直後における全チャンネルの最新のＥＰＧ情報について取得処理が完了したことをユーザに通知し、次のステップＳＰ１４へ移って処理を終了する。
【００４８】
一方、ステップＳＰ４で否定結果が得られると、このことは地上波ディジタル放送ではなくＢＳディジタル放送又はＣＳディジタル放送がユーザによって選局されていることを表しており、このとき制御部４は次のステップＳＰ１１へ移る。
【００４９】
ステップＳＰ１１において制御部４は、現在ユーザによってＢＳディジタル放送やＣＳディジタル放送が選択されているので、当該ＢＳディジタル放送又はＣＳディジタル放送の番組映像を表示部７に表示しながらも、裏ではステップＳＰ３で開始した地上波ディジタル放送における全チャンネルのＥＰＧ情報の取得処理を継続し、次のステップＳＰ１２へ移る。
【００５０】
ステップＳＰ１２において制御部４は、その後ユーザによってＢＳディジタル放送やＣＳディジタル放送が選択されている状態から地上波ディジタル放送が選択されたことを認識すると、次のステップＳＰ１３へ移る。
【００５１】
ステップＳＰ１３において制御部４は、地上波ディジタル放送が選択された時点で、ステップＳＰ３以降に裏で継続しているＥＰＧ情報の取得処理が完了しているか否かを判定する。
【００５２】
ここで否定結果が得られると、このことは電源投入直後における全チャンネルの最新のＥＰＧ情報について所得処理が未だ継続していることを表しており、このとき制御部４はステップＳＰ５へ移って、ＥＰＧ情報の取得経過状態を示すＥＰＧ情報取得中画面２０又は４０を表示部７に表示した後、ステップＳＰ６以降の処理を実行する。
【００５３】
これに対してステップＳＰ１３で肯定結果が得られると、このことは電源投入直後における全チャンネルの最新のＥＰＧ情報について所得処理が既に完了していることを表しており、このとき制御部４はＥＰＧ情報取得中画面４０ではなく地上波ディジタル放送の選局されたチャンネルの番組映像を表示部７に表示し、次のステップＳＰ１４へ移って処理を終了する。
【００５４】
（４）動作及び効果
以上の構成において、電子番組情報取得部１１の制御部４は、初期設定画面１５（図２）で電源投入直後の地上波ディジタル放送における全チャンネルの最新のＥＰＧ情報を自動的に取得する設定がなされていた場合、ユーザによって電源投入されたことを認識すると地上波ディジタル放送が選択されているかいないかに係わらず、当該電源投入直後における地上波ディジタル放送の全チャンネルについて１チャンネルずつ選局し、当該選局したチャンネル毎に順次ＥＰＧ情報を取得することにより電源投入直後における全チャンネルのＥＰＧ情報を取得する。
【００５５】
これにより電子番組情報取得部１１の制御部４は、電源投入直後における全チャンネルのＥＰＧ情報を取得して記憶部１０に格納しておくことができるので、ユーザがある地上波ディジタル放送のあるチャンネルの番組映像を視聴している最中に他のチャンネルにおけるＥＰＧ情報の表示要求を受けた場合でも直ちに当該他のチャンネルのＥＰＧ情報を記憶部１０から読み出して表示部７に出力して提供し得、リアルタイム性を損なわずに済む。
【００５６】
また電子番組情報取得部１１の制御部４は、必ず電源投入直後に全チャンネルのＥＰＧ情報を取得するようにしたことにより、常に最新のＥＰＧ情報をユーザに対して提供することができる。
【００５７】
さらに電子番組情報取得部１１の制御部４は、全チャンネルの最新のＥＰＧ情報を取得する際、各チャンネル毎のＥＰＧ情報を取得する度に順次選局先を切り換えるので、地上波ディジタル放送における全チャンネルのＥＰＧ情報を取得している最中には、そのとき放送中の番組映像を表示部７に表示することはせず、所定の静止画像にＥＰＧ情報取得中画面２０又は４０を重ねて表示し、当該ＥＰＧ情報取得中画面２０又は４０を介してＥＰＧ情報を現在取得中であること、その時点における全体の取得率及び取得時間を数値表示する。
【００５８】
これにより電子番組情報取得部１１の制御部４は、全チャンネルのＥＰＧ情報を取得し終わるのに必要な残存時間をユーザに対して認識させることができるので、当該残存時間が長い場合には地上波ディジタル放送から他のＢＳディジタル放送又はＣＳディジタル放送に選択先を切り換えるといった選択枝をユーザに提供することもできる。
【００５９】
なお、この場合に電子番組情報取得部１１の制御部４は、ＢＳディジタル放送又はＣＳディジタル放送の番組映像を表示部７に表示しながらも、裏で並列して地上波ディジタル放送における全チャンネルの最新のＥＰＧ情報を取得し続けているので、当該ＢＳディジタル放送又はＣＳディジタル放送の番組映像をユーザに視聴させている間に地上波ディジタル放送における全チャンネルの最新のＥＰＧ情報の取得処理を完了することができる。
【００６０】
従って地上波ディジタル放送受信機１は、ユーザに対してＥＰＧ情報の取得処理を行っている際中に当該ＥＰＧ情報取得に要する時間によって苛立たせることや飽きさせることを防止できる。
【００６１】
さらに電子番組情報取得部１１の制御部４は、初期設定画面１５（図２）又はＥＰＧ情報取得設定画面３０（図５）のいずれかを用いてＥＰＧ情報を取得する際の時間的範囲を「９時間分取得」、「２日分取得」又は「全情報取得」の選択項目の中から任意に選択することができるので、ＥＰＧ情報の取得時間を短く設定したいユーザに対しても柔軟に対応することができる。
【００６２】
以上の構成によれば、地上波ディジタル放送受信機１は、電源投入直後の地上波ディジタル放送における全チャンネルのＥＰＧ情報を自動的に取得することができるので、ユーザに対して各チャンネルを選局してＥＰＧ情報を取得するための煩雑な操作を強いることなく、簡易かつ容易に全チャンネルのＥＰＧ情報を取得し、ユーザの要望に応じて何時でもリアルタイムにＥＰＧ情報を提供することができる。
【００６３】
（５）他の実施の形態
なお上述の実施の形態においては、電子番組情報取得装置としての電子番組情報取得部１１によって地上波ディジタルテレビのＥＰＧ情報を取得するようにした場合について述べたが、本発明はこれに限らず、音声と静止画の組み合わせで提供するラジオの番組情報やＢＭＬ(Broadcast Markup Language)で記述されたデータ放送における番組情報を取得する場合に適用するようにしても良い。
【００６４】
また上述の実施の形態においては、ユーザが自由に変更可能な時間的範囲として「９時間分取得」、「２日分取得」又は「全情報取得」のいずれかから選択するようにした場合について述べたが、本発明はこれに限らず、「６時間分取得」、「１日分取得」等の他の種々の時間的範囲の中からいずれかを選択するようにしても良い。
【００６５】
さらに上述の実施の形態においては、本発明の電子番組情報取得装置としての電子番組情報取得部１１を地上波ディジタル放送受信機１に搭載して適用するようにした場合について述べたが、本発明はこれに限らず、各チャンネル毎にしか当該チャンネルの電子番組情報を取得することができない放送形態の受信機や当該受信機能を有したパーソナルコンピュータ等に本発明の電子番組情報取得部１１を搭載して適用するようにしても良い。
【００６６】
さらに上述の実施の形態においては、予め記憶部１０に格納されている電子番組情報自動取得プログラムをロードすることにより上述のＥＰＧ情報の自動取得処理手順を実行するようにした場合について述べたが、本発明はこれに限らず、ＣＤ−ＲＯＭやＤＶＤ−ＲＯＭ等のリムーバブルメディア等から読み出して電子番組情報自動取得プログラムをインストールすることにより上述のＥＰＧ情報の自動取得処理手順を実行するようにしても良い。
【００６７】
さらに上述の実施の形態においては、地上波ディジタル放送のチャンネルを選局する選局手段としてのチューナ部３と、選局中のチャンネルに関する電子番組情報を取得する電子番組情報取得手段としてのチューナ部３と、電源が投入された後、チューナ部３を介して全チャンネルを順次選局することにより電源投入直後における全チャンネルの最新の電子番組情報を取得させる制御手段としての制御部４とによって本発明の電子番組情報取得装置を構成するようにした場合について述べたが、本発明はこれに限らず、他の種々の回路構成による選局手段、電子番組情報取得手段及び制御手段によって電子番組情報取得装置を構成しても良い。
【図面の簡単な説明】
【００６８】
【図１】地上波ディジタル放送受信機の回路構成を示す略線的ブロック図である。
【図２】初期設定画面を示す略線図である。
【図３】ＥＰＧ情報の自動取得処理手順を示すフローチャートである。
【図４】ＥＰＧ情報取得中画面（１）を示す略線図である。
【図５】ＥＰＧ情報取得設定画面を示す略線図である。
【図６】ＥＰＧ情報取得中画面（２）を示す略線図である。
【図７】ＥＰＧ情報取得完了画面を示す略線図である。
【符号の説明】
【００６９】
１……地上波ディジタル放送受信機、３……チューナ部、４……制御部、５……電源部、７……表示部、１０……記憶部、１５……初期設定画面、２０……ＥＰＧ情報取得中画面、３０……ＥＰＧ情報取得設定画面、４０……ＥＰＧ情報取得中画面、５０……ＥＰＧ情報取得完了画面。
【図１】
2005033567.tif 000003
【図２】
2005033567.tif 000004
【図３】
2005033567.tif 000005
【図４】
2005033567.tif 000006
【図５】
2005033567.tif 000007
【図６】
2005033567.tif 000008
【図７】
2005033567.tif 000009